(57)【要約】【課題】長さ調節ができ、かつ、耐久性にも富む使い勝手のよいペット用首輪の提供。【解決手段】長さ方向での一端部１４と他端部２４とのそれぞれを長さ調節を自在に外側に折り返して形成される一側折返し部１７と他側折返し部２７とのそれぞれに、略おむすび形状を呈してその直進部３４に円筒パイプ３５を遊挿させた支持リング３３を円筒パイプ３５側を介して保持させてなる適宜長さのベルト体１２と、該ベルト体１２が備える支持リング３３，３３相互間に挿通配置させてその一側開放端５３と他側開放端５４とを連結リング５５を介して相互に連結してなるチェーン体５２とを少なくとも具備させて、長さ調節を自在に形成した。【選択図】図１
0003112030.tif 000002
【実用新案登録請求の範囲】
【請求項１】
長さ方向での一端部と他端部とのそれぞれを長さ調節を自在に外側に折り返して形成される一側折返し部と他側折返し部とのそれぞれに、略おむすび形状を呈してその直進部に円筒パイプを遊挿させた支持リングを前記円筒パイプ側を介して保持させてなる適宜長さのベルト体と、
該ベルト体が備える前記支持リング相互間に挿通配置させてその一側開放端と他側開放端とを連結リングを介して相互に連結してなるチェーン体とを少なくとも具備させたことを特徴とするペット用首輪。
【請求項２】
前記ベルト体は、皮革材からなる一側ベルト部と他側ベルト部とを二枚重ねに縫合して形成された部位を含む請求項１に記載のペット用首輪。
【請求項３】
前記ベルト体は、前記一側折返し部と前記他側折返し部との近傍位置に各別に配設されたフレームが備える留め金による、前記一端部と前記他端部とのそれぞれに配設された複数個の掛止孔との掛止位置により、その長さの調節を自在とした請求項１または２に記載のペット用首輪。
【請求項４】
前記ベルト体における前記一端部と前記他端部との各先端部側は、前記ベルト体の対応位置に各別に配設されている先端側ベルト通しを介してその保持を自在とした請求項１ないし３のいずれかに記載のペット用首輪。
【請求項５】
ベルト体が備える前記掛止孔のおそれぞれには、鳩目金具を具備させた請求項２ないし４のいずれかに記載のペット用首輪。
【請求項６】
前記ベルト体の長さ方向での略中央部位に位置する外表面には、突設された少なくとも１個の係止突起と、該係止突起との関係で着脱自在に係合止着される保持バンドとを備え、該保持バンドを介して複数個のキャラクター片の挿通配置を自在とした請求項１ないし５のいずれかに記載のペット用首輪。
【請求項７】
前記ベルト体を最短に長さ調節した際に前記留め金が挿通掛止される前記掛止孔は、前記支持リングの円筒パイプの位置より内側に位置させて該円筒パイプとは非接触とした請求項２ないし６のいずれかに記載のペット用首輪。
【考案の詳細な説明】
【技術分野】
【０００１】
本考案は、犬を含む各種のペットを散歩させる際にリードと称される引き紐に連結して使用されるペット用首輪に関する技術である。
【背景技術】
【０００２】
犬などのペットには、その散歩時にリードと称される引き紐を連結することができる適宜の構造を備えたペット用首輪を装着させている例が多い。
【０００３】
上記ペット用首輪のなかには、散歩時などにペットが突然飛び出すような動きを封じて飼い主などが事故に遭ったり怪我をするのを未然に防止したり、ペット自らが首を痛めたりするのを効果的に防止することができる構造を備えた「ハーフチョークチェーン」とも称されている構造を備えた犬を含むペット用の首輪もある。
【特許文献１】特開２００２−１１０号公報
【０００４】
図５は、上記特許文献１に示されている上記「ハーフチョークチェーン」タイプの犬の首輪の斜視図であり、ベルト体１の長さ方向での両端側が引き離されて開放端部を形成しており、これらの各開放端部には、保持リング１ａが付設されている。
【０００５】
また、各保持リング１ａには、締付け用のチェーン体２が挿通されており、挿通後のチェーン体２の両端部は、連結リング４を介して相互に連結されている。
【０００６】
しかも、該連結リング４には、引き紐３の先端部に付設されている掛止具３ａが掛止されており、引き紐３が引っ張られた際のチェーン体２の動きに従動してベルト体１が狭まって犬の首を瞬間的に締め付けることができるようになっている。
【考案の開示】
【考案が解決しようとする課題】
【０００７】
しかし、特許文献１に開示されている犬の首輪による場合は、犬の大きさに応じてベルト体１の長さを調節することができない不自由・不便さがあるばかりでなく、長く使用するうちに保持リング１ａからの摩擦力を受けてベルト体１側の支持部位側が摩耗して弱くなったり擦り切れてしまう不都合もあった。
【０００８】
本考案は、特許文献１を含む従来技術の上記課題に鑑み、長さ調節ができ、かつ、耐久性にも富む使い勝手のよいペット用首輪を提供することを目的とする。
【課題を解決するための手段】
【０００９】
本考案は、上記目的を達成すべくなされたものであり、長さ方向での一端部と他端部とのそれぞれを長さ調節を自在に外側に折り返して形成される一側折返し部と他側折返し部とのそれぞれに、略おむすび形状を呈してその直進部に遊挿パイプを挿通させた支持リングを前記円筒パイプ側を介して保持させてなる適宜長さのベルト体と、該ベルト体が備える前記支持リング相互間に挿通配置させてその一側開放端と他側開放端とを連結リングを介して相互に連結してなるチェーン体とを少なくとも具備させたことを最も主要な特徴とする。
【００１０】
この場合、前記ベルト体は、皮革材からなる一側ベルト部と他側ベルト部とを二枚重ねに縫合した部位を含んで形成するするのが好ましい。また、前記ベルト体は、前記一側折返し部と前記他側折返し部との近傍位置に各別に配設されたフレームが備える留め金による、前記一端部と前記他端部とのそれぞれに配設された複数個の掛止孔との掛止位置により、その長さの調節を自在とするのが望ましい。さらに、前記ベルト体における前記一端部と前記他端部との各先端部側は、前記ベルト体の対応位置に各別に配設されている先端側ベルト通しを介してその保持を自在とするのが望ましい。
【００１１】
また、ベルト体が備える前記掛止孔のそれぞれには、鳩目金具を具備させることもできる。さらに、前記ベルト体の長さ方向での略中央部位に位置する外表面には、突設された少なくとも１個の係止突起と、該係止突起との関係で着脱自在に係合止着される保持バンドとを備え、該保持バンドを介して複数個のキャラクター片の挿通配置を自在とするものであってもよい。この場合、前記ベルト体を最短に長さ調節した際に前記留め金が挿通掛止される前記掛止孔は、前記支持リングの円筒パイプの位置より内側に位置させて該円筒パイプとは非接触とすることもできる。
【考案の効果】
【００１２】
本考案のうち、請求項１に係る考案によれば、ベルト体における長さ調節を自在に折り返された一側折返し部と他側折返し部とには、支持リングが円筒パイプ側を介して保持されているので、犬等のペットの大きさに対応させながらその長さを容易に調節することができる。
【００１３】
また、チェーン体が挿通される各支持リングは、円筒パイプを介して一側折返し部と他側折返し部とに接触させることができるので、チェーン体が引っ張られて一側折返し部と他側折返し部とに強い力が作用することがあっても円筒パイプを介してその力を緩和することで摩耗を防ぐことができる。
【００１４】
請求項２に係る考案によれば、ペットの首側と直に接触するベルト体は、皮革材からなる一側ベルト部と他側ベルト部とを二枚重ねに縫合して形成されている部位を含むので、使い込めば使い込むほどよく馴染んでくるほか、毛擦れや毛玉の発生を効果的に抑えることができる。
【００１５】
請求項３に係る考案によれば、ベルト体は、フレームが備える留め金を一端部と他側端部とが備える適宜の掛止孔に掛止させることにより、その長さを長短いずれにも調節しながら、その位置を確実に保持させることができる。
【００１６】
請求項４に係る考案によれば、ベルト体における一端部と他端部との各先端部側は、先端側ベルト通しを介して保持させることができるので、その使用時における一端部と他端部との仕舞いを確実なものにしてスマートに使用することができる。
【００１７】
請求項５に係る考案によれば、ベルト体の各掛止孔は、それぞれが鳩目金具を備えているので、フレームの留め金による掛止状態をより安定的で確実なものとすることができる。
【００１８】
請求項６に係る考案によれば、ベルト体の外表面に着脱自在に配設されている保持バンドには、アルファベットや図形などからなる複数個のキャラクター片を所望に応じて適宜選択して係合止着することができるので、例えば愛犬の名前などを極く容易に表示することができる。
【００１９】
請求項７に係る考案によれば、ベルト体を最短に長さ調節した際に留め金が挿通掛止される掛止孔は、その位置を支持リングの円筒パイプの位置より内側となっているので、掛止孔が鳩目金具を備えるものであっても、円筒パイプとは非接触とすることでその摩耗を効果的に防止することができる。
【考案を実施するための最良の形態】
【００２０】
図１は、本考案の一例を示す全体斜視図であり、図２は、連結リングを介してチェーン体側を引張した際の状態（ペットの首を瞬間的に締め付けるように引張された状態）を示す全体斜視図である。
【００２１】
これらの図によれば、ペット用首輪１１の全体は、長さ方向での一端部１４と他端部２４とのそれぞれを長さ調節を自在に外側に折り返して形成される一側折返し部１７と他側折返し部２７とのそれぞれに、略おむすび形状を呈してその直進部３４に円筒パイプ３５を遊挿させた支持リング３３を円筒パイプ３５側を介して保持させてなる適宜長さのベルト体１２と、該ベルト体１２が備える支持リング３３，３３相互間に挿通配置させてその一側開放端５３と他側開放端５４とを連結リング５５を介して相互に連結してなるチェーン体５２とを備えて形成されている。
【００２２】
このうち、部位の如何にかからわず上質な牛革などを素材とする天然皮革を用いて形成されるベルト体１２は、一側ベルト部１３ａと他側ベルト部１３ｂとを縫合して二枚重ねとした部位を含むベルト本体部１３と、該ベルト本体部１３の一側折返し部１７を経た一端部１４と、同じく二枚重ねとなって他側折返し部２７を経た他端部２４とのそれぞれの間に介在配置されるフレーム支持用ベルト部４４とを備えている。
【００２３】
このうち、ベルト本体部１３は、一側折返し部１７と他側折返し部２７とのそれぞれに円筒パイプ３５側を介して保持させた支持リング３３を各別に備えている。この場合、各支持リング３３は、一側折返し部１７の基端寄り近傍位置と、他側折返し部２７の基端寄り近傍位置とのそれぞれに位置固定させた各基端側ベルト通し３６内をその一端部１４と他端部２４側とを各別に挿通させることで交換自在に保持されている。
【００２４】
この場合におけるベルト本体部１３とフレーム支持用ベルト部４４との配置関係は、二枚重ねとなった一側ベルト部１３ａと他側ベルト部１３ｂとのうち、例えば内側に位置する一側ベルト部１３ａは、そのままの状態で支持リング３３を経て折り返されている。
【００２５】
一方、外側に位置している他側ベルト部１３ｂは、その途中で一側ベルト部１３ａと分岐して二枚重ねのフレーム支持用ベルト部４４の一側ベルト片部４９へと転用されている。
【００２６】
他側ベルト部１３ｂ側と分岐した一側ベルト部１３ａは、その分岐位置から先端１４ａまたは２４ａ側にかけて他側ベルト部１３ｂと同じ部材からなる他側ベルト片部２２と二枚重ねとなって一体的に縫合されている。この場合、基端側ベルト通し３６は、一側ベルト部１３ａと他側ベルト片部２２との間を挿通させて位置固定されることになる。すなわち、各基端側ベルト通し３６は、一側ベルト部１３ａと他側ベルト片部２２との間を挿通させて形成される重ね合わせ部３７を外側に位置させ、該重ね合わせ部３７にカシメ部３８を形成して一体化するすることでベルト本体部１３側に位置固定されている。
【００２７】
フレーム支持用ベルト部４４は、一側ベルト部１３ａと分岐した他側ベルト部１３ｂが転用された一側ベルト片部４９と、その内側に配設された添設ベルト片部５０とで二枚重ねとなって一体的に縫合されている。フレーム４７は、折り返して確保される保持空間部４６内に留め金４８側を突出させた状態のもとで保持されることになる。すなわち、フレーム支持用ベルト部４４は、各基端側ベルト通し３６の内側に位置する近傍に配設されるものであり、ベルト本体部１３と同様に二枚重ねのもとで折り返された部位にカシメ部４５を形成することで確保される保持空間部４６内に、留め金４８側を図４からも明らかなように切欠部４４ａを介して突出させた状態のフレーム４７を支持して配設されている。
【００２８】
また、支持リング３３が位置している一側折返し部１７を経た一端部１４と他側折返し部２７を経た他端部２４とのそれぞれには、鳩目金具１６または２６付きの掛止孔１５または２５が例えば等間隔をおいた計３カ所に形成されており、フレーム４７が備える留め金４８によりその長さの調節を自在にして掛止することができるようになっている。
【００２９】
この場合、ベルト体１２（ベルト本体部１３）の一端部１４と他端部２４とを最短に長さ調節した際に留め金４８が挿通掛止される掛止孔１５または２５は、支持リング３３の円筒パイプ３５の位置よりも内側に位置させることで、該円筒パイプ３５とは非接触となる位置関係のもとで形成されている。
【００３０】
しかも、ベルト体１２（ベルト本体部１３）における一端部１４と他端部２４との各先端１４ａまたは２４ｂ側は、ベルト体１２の対応部位に各別に配設されている先端側ベルト通し３９を介してそれぞれの保持が自在となっている。この場合の各先端側ベルト通し３９は、フレーム支持用ベルト部４４の外側に位置している部位の相互間に挿通させて形成される重ね合わせ部４０を外側に位置させ、該重ね合わせ部４０にカシメ部４１を形成して一体化するすることでフレーム支持用ベルト部４４側に位置固定されている。
【００３１】
また、ベルト体１２の長さ方向での略中央部位に位置する外表面１２ａには、一定間隔をおいて突設された一対の係止突起１９，１９が形成されており、これら係止突起１９，１９相互の離間距離に対応させた位置に一対の止着孔２１，２１を有する保持バンド２０をその着脱自在に係合止着させることができるようになっている。
【００３２】
該保持バンド２０には、例えば星などの模様部２９やアルファベットなどの文字部３０をその表面に有し、その背面側に挿通支持部３１を有する複数個のキャラクター片２８を、挿通支持部３１を介して挿通支持させて、例えば図１に示すように最左側に星の模様部２９を備えるキャラクター片２８を位置させ、この位置から順に右側に向けて例えば愛犬名「ＫＥＮＴＡ」と表示できるように文字部３０を備える各キャラクター片２８を順に挿通支持させることができる。なお、各キャラクター片２８は、高級感や柔らかなイメージを醸成する観点から、ロストワックス製法により製造したものを使用するのが好ましい。
【００３３】
一方、チェーン体５２は、安全、かつ、堅牢で美しいステンレスチェーン、例えば「ＳＵＳ−３０４」を溶接して形成された適宜長さのステンレスチェーンを用いて形成されている。該チェーン体５２は、ベルト体１２が備える支持リング３３，３３相互間に挿通配置させ、その一側開放端５３と他側開放端５４とを連結リング５５を介して相互に連結して一体化することで、ベルト体１２側に取り付けられている。
【００３４】
次に、上記構成からなるペット用首輪１１の作用・効果をペットが犬である場合を例にその他側折返し部２７側につき説明すれば、犬種により異なる大きさに対応させるべくベルト体１２を長さ調節するに際しては、例えば他側折返し部２７を形成している他端部２４が有している掛止孔２５と留め金４８との図１に示す掛止状態を、まず、先端側ベルト通し３９から他端部を引き抜いた上で、図４に示すように解除し、基端側ベルト通し３６からも引き抜く。
【００３５】
このようにベルト体１２の他端部２４を自由に動かせる状態にした後は、支持リング３３の位置を所定位置へと移動させた後、再度、他端部２４を基端側ベルト通し３６を通して対応する掛止孔２５に留め金４８を掛止させた上で、先端側ベルト通し３９を通してその長さ調節を終える。このような長さ調節は、一側折返し部１７側に位置する一端部１４についても同様の手順を踏んで行うことができる。また、ベルト体１２の一端部１４と他端部２４との双方で長さ調節を行ったり、いずれか一方の側でのみ長さ調節を行うこともできる。
【００３６】
長さ調節を終えた後は、ベルト体１２の一側折返し部１７と他側折返し部２７とを拡開する方向に押し開くことにより、チェーン体５２も図１に示すように二つ折りされた平行な直進状態となる。このようにしてベルト体１２とチェーン体５２との間に確保される空間部５６を介して犬の頭を通過させて首周りに位置させた後、連結リング５５に連結させた図示しないリードと称される引き紐を引くことにより、例えば図２に示すような状態となるように狭めることができる。
【００３７】
したがって、犬が急に飛び出すなどの突発的な動きをした際には、飼い主が持っている引き紐が引っ張られることで、連結リング５５を介してチェーン体５２が引張されてベルト体１２側が狭まり、犬の首を瞬間的に締め付けてその動きを止めることができる。したがって、飼い主などが事故に遭ったり怪我をするのを未然に防止したり、犬自らが首を痛めたりするのを効果的に防止することができる。
【００３８】
しかも、チェーン体５２が挿通される各支持リング３３は、円筒パイプ３５を介して一側折返し部１７と他側折返し部２７とに接触させることができるので、チェーン体５２が引っ張られて一側折返し部１７と他側折返し部２７とに強い力が作用することがあっても円筒パイプ３５を介してその圧力を緩和することで摩耗を防ぐことができ、それだけ耐久性を高めることができる。
【００３９】
また、犬の首周りと直に接触するベルト体１２は、皮革材を二枚重ねに縫合して形成されているので、その当たりがソフトで摩擦の少ない滑動しやすいものとすることができることから、使い込めば使い込むほどよく馴染んでくるほか、毛擦れや毛玉の発生を効果的に抑えることができることになる。
【００４０】
さらに、ベルト体１２の各掛止孔１５または２５は、それぞれが鳩目金具１６または２６を備えて補強されているので、フレーム４７の留め金４８による掛止状態をより安定的で確実なものとすることができる。
【００４１】
また、ベルト体１２の外表面１２ａには、保持バンド２０が着脱自在に配設されているので、図３に示すように星の模様部２９やアルファベットの文字部３０を備えるキャラクター片２８をそれぞれの挿通支持部３１を介して挿通配置することで、例えば図示例のような「ＫＥＮＴＡ」などとして飼い主の愛犬名を好ましい態様のもとで表示することができる。
【００４２】
さらに、ベルト体を１２最短に長さ調節した際に留め金４８が挿通掛止される掛止孔１５または２５は、その位置が支持リング３３の円筒パイプ３５の位置より内側にくるように配置されているので、掛止孔１５または２５が備える鳩目金具１６または２６が円筒パイプ３５と接触することをなくして、鳩目金具１６または２６側の摩耗を確実に防ぐことができる。
【００４３】
以上は、本考案を図面に基づいて説明したものであり、その具体的な内容はこれに限定されるものではない。例えば、ベルト体１２は、天然皮革のほか、所望に応じ合成皮革を用いて形成することもできる。また、ベルト体１２の長さ調節は、例えばバックルを用いたスライド構造のもとで行うこともできる。さらに、掛止孔１５または２５は、鳩目金具１６または２６を介在させないものであってもよいし、その個数も適宜選択することができる。また、保持バンド２０は、その長さ方向での一端部をベルト体１２側に逢着し、他端部のみを係止突起１９との間で着脱自在に係合止着できるようにして配設することもできる。
【図面の簡単な説明】
【００４４】
【図１】本考案の一例を示す全体斜視図。
【図２】図１に示す例につきその連結リング側を引張した際の状態を示す全体斜視図。
【図３】図１に示す例における保持バンドとキャラクター片との関係を示す要部拡大斜視図。
【図４】図１に示す例におけるベルト体と連結リングとの配置関係をベルト体の折返し部を開放した状態で示す要部拡大斜視図。
【図５】特許文献１に示されている犬の首輪の従来例を示す斜視図。
【符号の説明】
【００４５】
１１  ペット用首輪
１２  ベルト体
１２ａ  外表面
１３  ベルト本体部
１３ａ  一側ベルト部
１３ｂ  他側ベルト部
１４  一端部
１４ａ  先端
１５  掛止孔
１６  鳩目金具
１７  一側折返し部
１９  掛止突起
２０  保持バンド
２１  止着孔
２２  他側ベルト片部
２４  他端部
２４ａ  先端
２５  掛止孔
２６  鳩目金具
２７  他側折返し部
２８  キャラクター片
２９  模様部
３１  文字部
３２  挿通支持部
３３  支持リング
３４  直進部
３５  円筒パイプ
３６  基端側ベルト通し
３７  重ね合わせ部
３８  カシメ部
３９  先端側ベルト通し
４０  重ね合わせ部
４１  カシメ部
４４  フレーム支持用ベルト部
４４ａ  切欠部
４５  カシメ部
４６  保持空間部
４７  フレーム
４８  留め金
４９  一側ベルト片部
５０  添設ベルト片部
５２  チェーン体
５３  一側開放端
５４  他側開放端
５５  連結リング
５６  空間部
【図１】
0003112030.tif 000003
【図２】
0003112030.tif 000004
【図３】
0003112030.tif 000005
【図４】
0003112030.tif 000006
【図５】
0003112030.tif 000007